(57)【特許請求の範囲】
【請求項１】
一端側を回動可能に本体に組み付けられると共に、横向きの跳ね上げ位置において容器を差し入れ保持する保持空間を備え、かつ、縦向きの戻し位置において当該跳ね上げ位置に向けて付勢されるようにそれぞれ構成された主ホルダー部及び当該主ホルダー部の隣に配された副ホルダー部と、
縦向き下方に付勢に抗してロック解除のための押し込み操作可能に前記本体にそれぞれ組み付けられた前記主ホルダー部の主ロック部材及び当該主ロック部材の隣に配された前記副ホルダー部の副ロック部材とを備えており、
前記主ロック部材には、前記主ホルダー部に設けた掛合爪に当該主ホルダー部の前記戻し位置への回動操作によって下方から掛合されるロック爪が設けてあると共に、
前記副ロック部材には、前記副ホルダー部に設けた掛合爪に当該副ホルダー部の前記戻し位置への回動操作によって下方から掛合されるロック爪が設けてあり、
しかも、前記副ロック部材には、当該副ロック部材の下方への押し込み操作に伴って前記主ロック部材の一部に上方から突き当たって当該主ロック部材を同時に下方に移動させる連動当接部が設けてあることを特徴とするカップホルダー装置。
【請求項２】
副ホルダー部に、副ホルダー部の跳ね上げ位置への回動に伴って主ホルダー部の一部に下方から押し当てられる接触部が形成してあることを特徴とする請求項１記載のカップホルダー装置。
【請求項３】
主ホルダー部に、副ホルダー部に設けられた組合凹部に対し、跳ね上げ位置にある当該主ホルダー部の戻し位置への回動又は当該主ホルダー部が跳ね上げ位置にある状態での戻し位置にある副ホルダー部の跳ね上げ位置への回動に伴って当該組合凹部の入り口に続く当該副ホルダー部の一部に突き当てられて一旦後退移動した後、当該組合凹部に先端側を入り込ませるように付勢される組合突片が設けてあると共に、
主ロック部材の下端部と前記組合突片とにそれぞれ、前記戻し位置において当該主ロック部材の押し込み操作により摺接し合って当該組合突片を後退移動させるカム面が形成してあることを特徴とする請求項１又は請求項２記載のカップホルダー装置。
【発明の詳細な説明】
【０００１】
【発明の属する技術分野】
この発明は、乗用車などの室内などにおいて、ジュース缶や飲料カップなどの容器を起立状態に保持するために用いられるカップホルダー装置の改良に関する。
【０００２】
【従来の技術】
乗用車などの室内や、こうした室内に設けられるセンターコンソールボックスなどの収納空間内などに設置され用いられるカップホルダー装置にあっては、一般に横向きに突き出されるように配されるホルダー部を有し、このホルダー部に飲料容器の保持をなす収納空間を設けさせて当該飲料容器を起立状態で保持するようにしてある。また、この種のカップホルダー装置にあっては、かかる飲料容器の保持が必要ない場合に前記ホルダー部が邪魔にならないように、このホルダー部を縦向きの戻し位置ないしは格納位置に回動できるようにしたものが少なからずある。
【０００３】
【発明が解決しようとする課題】
この種のカップホルダー装置にあってはまた、同時に二つの飲料容器を起立状態に保持できるように、前記ホルダー部に並列に二か所の保持空間がしばしば設けられている。しかし、このように構成されたカップホルダー装置にあっては、保持すべき飲料容器が一つの場合には二か所の保持空間を備えた前記ホルダー部によって必要以上に前記室内や収納空間においてスペースが占有されてしまうこととなる。
【０００４】
こうしたことなどを考慮して、独立した二つのホルダー部であって、それぞれ前記横向きに突き出した飲料容器を保持する保持位置と前記戻し位置ないしは格納位置とを採れるように操作可能に構成された二つのホルダー部を備えさせてカップホルダー装置を構成することも行われている。しかし、このように独立した二つのホルダー部を単純に備えさせた場合、同時に二つの飲料容器を起立状態に保持する場合には、それぞれのホルダー部を前記保持位置まで移動操作させる必要があり、また、保持の必要がなくなった場合にはそれぞれのホルダー部を前記戻し位置ないしは格納位置まで移動操作させる必要があり、カップホルダー装置の使い易さ向上の観点からは難を有するものであった。
【０００５】
そこでこの発明は、かかる従来の技術の不都合を解消することを目的とするものであって、特に、第一には、独立した二つのホルダー部をそれぞれ縦向きの戻し位置から容器を保持する横向きの跳ね上げ位置まで回動可能に備えながら、ワンアクションで一つのホルダー部のみを跳ね上げ位置に回動操作できるようにすると共に、同様にワンアクションで双方のホルダー部共に当該跳ね上げ位置まで回動操作できるようにすることを目的とする。また、第二に、二つのホルダー部の双方が前記跳ね上げ位置にある状態から、かかる二つのホルダー部を一緒に前記戻し位置に戻し操作できるようにすることを目的とする。
【０００６】
【課題を解決するための手段】
前記目的を達成するために、請求項１記載の発明にあっては、カップホルダー装置が以下の（１）ないし（５）の構成を備えているものとした。
（１）一端側を回動可能に本体に組み付けられると共に、横向きの跳ね上げ位置において容器を差し入れ保持する保持空間を備え、かつ、縦向きの戻し位置において当該跳ね上げ位置に向けて付勢されるようにそれぞれ構成された主ホルダー部及び当該主ホルダー部の隣に配された副ホルダー部と、
（２）縦向き下方に付勢に抗してロック解除のための押し込み操作可能に前記本体にそれぞれ組み付けられた前記主ホルダー部の主ロック部材及び当該主ロック部材の隣に配された前記副ホルダー部の副ロック部材とを備えており、
（３）前記主ロック部材には、前記主ホルダー部に設けた掛合爪に当該主ホルダー部の前記戻し位置への回動操作によって下方から掛合されるロック爪が設けてあると共に、
（４）前記副ロック部材には、前記副ホルダー部に設けた掛合爪に当該副ホルダー部の前記戻し位置への回動操作によって下方から掛合されるロック爪が設けてあり、
（５）しかも、前記副ロック部材には、当該副ロック部材の下方への押し込み操作に伴って前記主ロック部材の一部に上方から突き当たって当該主ロック部材を同時に下方に移動させる連動当接部が設けてある。
【０００７】
かかる構成によれば、前記いずれのホルダー部も、前記ロック部材のロック爪とホルダー部の掛合爪との掛合により、前記戻し位置における縦向き状態を維持されるようにしてあることから、容器の保持の必要がない場合には、かかるホルダー部が邪魔になったり、また、センターコンソールボックスなどの収納空間内にカップホルダー装置が設置される場合には、かかる収納空間への物品の通常の収納使用を妨げることがないように双方のホルダー部を前記戻し位置に回動させ位置付けておくことができる。
【０００８】
また、保持すべき容器が一つの場合には、前記主ホルダー部だけを前記主ロック部材の押し込み操作により跳ね上げ位置に回動させて使用することができる。
【０００９】
また、保持すべき容器が二つの場合には、前記主ホルダー部および副ホルダー部の双方を、前記副ロック部材の押し込み操作により当該副ロック部材の連動当接部を主ロック部材の一部に上方から突き当てて主ロック部材も同時に押し込み移動させることにより、一緒に前記跳ね上げ位置に回動させてかかる二つの容器を同時に保持するように使用することができる。
【００１０】
また、請求項２記載の発明にあっては、請求項１記載のカップホルダー装置における副ホルダー部に、さらに、副ホルダー部の跳ね上げ位置への回動に伴って主ホルダー部の一部に下方から押し当てられる接触部が形成してあるものとした。
【００１１】
かかる構成によれば、前記副ロック部材を下方に押し込み操作した場合において、かかる副ホルダー部の接触部を前記主ホルダー部の裏側に押し当てて、両ホルダー部を前記跳ね上げ位置に向けて同時にスムースに回動させることができる。
【００１２】
また、かかる両ホルダー部が共に前記跳ね上げ位置にある状態から、この接触部の直上に位置される主ホルダー部の一部を押圧することにより、かかる跳ね上げ位置にある両ホルダー部を一緒に前記戻し位置に向けて押し戻し、両ホルダー部を同時に当該戻し位置でロック・保持することができる。
【００１３】
また、前記両ホルダー部の双方が前記戻し位置にある状態から前記主ロック部材を下方に押し込み操作した場合には、前記接触部は前記主ホルダー部の裏側に位置されることから、前記主ホルダー部のみを前記跳ね上げ位置に向けて妨げなく回動させることができる。
【００１４】
また、請求項３記載の発明にあっては、請求項１または請求項２記載のカップホルダー装置がさらに、主ホルダー部に、副ホルダー部に設けられた組合凹部に対し、跳ね上げ位置にある当該主ホルダー部の戻し位置への回動又は当該主ホルダー部が跳ね上げ位置にある状態での戻し位置にある副ホルダー部の跳ね上げ位置への回動に伴って当該組合凹部の入り口に続く当該副ホルダー部の一部に突き当てられて一旦後退移動した後、当該組合凹部に先端側を入り込ませるように付勢される組合突片が設けてあると共に、主ロック部材の下端部と前記組合突片とにそれぞれ、前記戻し位置において当該主ロック部材の押し込み操作により摺接し合って当該組合突片を後退移動させるカム面が形成してある構成を備えたものとした。
【００１５】
かかる構成によれば、前記両ホルダー部が共に前記跳ね上げ位置にある状態において当該両ホルダー部を前記組合凹部への組合突片の先端側の差し入れにより組合状態に置くことができることから、この両ホルダー部を前記戻し位置に戻し操作する場合、両ホルダー部のいずれの箇所を下方に押圧しても当該戻し位置への回動操作を両ホルダー部を一体とした状態でなすことができる。
【００１６】
また、前記主ロック部材を押し込み操作して当該主ロック部材を下方に移動させた場合には、当該主ロック部材のロック爪と戻し位置にある主ホルダー部の掛合爪との掛合が解かれると共に、当該主ロック部材のカム面と前記組合突片のカム面との摺接により当該組合突片を前記付勢に抗して後退移動させ、この組合突片の先端部を副ホルダー部の組合凹部内から抜き出し、主ホルダー部のみを前記跳ね上げ位置まで回動させることができる。
【００１７】
【発明の実施の形態】
以下、図１ないし図８に基づいて、この発明の典型的な実施の形態について説明する。
【００１８】
なお、ここで図１は、この実施の形態にかかるカップホルダー装置Ｈの一適用例の設置状態を斜視の状態として、また、図２は、かかるカップホルダー装置Ｈの構成各部品を分離して、それぞれ示した構成概要図である。また、図３は、ホルダー部２を縦向きの戻し位置ｘに維持させた状態を側方から見て、また、図４は、ホルダー部２を横向きの跳ね上げ位置ｙにおいた状態を上方から見て、それぞれ示した構成図である。また、図５は、ロック部材３によるホルダー部２のロック状態を理解し易いように、かかるロック部材３の組み込み位置においてカップホルダー装置Ｈを縦断面の状態とした断面構成図である。ロック部材３は、後述のように、主ロック部材３’と副ロック部材３”の二つがあるが、両者共に、図５に表された基本構造を備えたものとしてある。
【００１９】
図６ないし図８は、図１ないし図５に示されるカップホルダー装置Ｈの構成の一部を変更した別の適用例をそれぞれ示しており、特に、図６は、ホルダー部２を戻し位置ｘに維持させた状態を側方から見て、また、図７は、主ロック部材３’の組込み位置においてカップホルダー装置Ｈを縦断面の状態として、また、図８は、かかる構成の一部を変更した箇所においてカップホルダー装置Ｈの要部を横断面の状態として示している。
【００２０】
この実施の形態にかかるカップホルダー装置Ｈは、乗用車などの室内などにおいて、ジュース缶や飲料カップなどの容器Ｋを起立状態に保持するために用いられるものである。
【００２１】
かかるカップホルダー装置Ｈは、その本体１に対し、横向きの跳ね上げ位置ｙと縦向きの戻し位置ｘとの間で回動可能に組み付けられた二つのホルダー部２、２、すなわち、主ホルダー部２’と副ホルダー部２”とを備えている。いずれのホルダー部２も、前記跳ね上げ位置ｙにおいて前記容器Ｋを上方から差し入れ、その容器Ｋの側部を保持する保持空間２０を備えており、この実施の形態においては当該容器Ｋの底部は各ホルダー部２、２の下方に位置される乗用車のフロア面やセンターコンソールボックスのボックス底面などに支持されるものとしてある。また、いずれのホルダー部２も、前記戻し位置ｘにおける縦向き状態を維持されるようにしてあり、容器Ｋの保持の必要がない場合には、かかるホルダー部２が邪魔になったり、また、センターコンソールボックスなどの収納空間Ｓ内にカップホルダー装置Ｈが設置される場合には、かかる収納空間Ｓへの物品の通常の収納使用を妨げることがないものとされている。また、前記本体１には、前記各ホルダー部２、２を前記戻し位置ｘでロックするロック部材３が、かかる各ホルダー部２、２のそれぞれに対応して二つ設けてある。（すなわち、主ロック部材３’と副ロック部材３”）また、かかる各ホルダー部２、２は、バネなどの付勢手段によって、前記戻し位置ｘから跳ね上げ位置ｙに向けて、前記ロック部材３の操作によってロックが解除されると自動的に立ち上がるように回動されるものとされている。この結果、かかるカップホルダー装置Ｈは、保持すべき容器Ｋが一つの場合には、前記二つのホルダー部２、２の一つだけを前記ロック部材３の操作により跳ね上げ位置ｙに回動させて使用することができ、また、保持すべき容器Ｋが二つの場合には、前記二つのホルダー部２、２の双方を前記ロック部材３の操作により跳ね上げ位置ｙに回動させて使用することができ、保持すべき容器Ｋが一つの場合に使用する必要のないホルダー部２によって室内空間、収納空間Ｓを減少させない態様での使用が可能とされる。また、かかるカップホルダー装置Ｈにあっては、後述のように、副ホルダー部２”を前記戻し位置ｘにロックする副ロック部材３”を操作すると、主ホルダー部２’を当該戻し位置ｘにロックする主ロック部材３’の当該ロックも同時に解除できる構成が備えられており、保持すべき容器Ｋが二つの場合に、前記副ロック部材３”のみの操作によって前記主ホルダー部２’と副ホルダー部２”との双方を前記跳ね上げ位置ｙに回動させることが可能とされ、使用上の利便性が高められている。
【００２２】
具体的には、前記各図に示される適用例にあっては、カップホルダー装置Ｈを、乗用車の室内に設けられるセンターコンソールボックスなどの収納空間Ｓを構成する側壁内面Ｓａに設置して使用するものとして構成してある。
【００２３】
かかる適用例にあっては、前記本体１は、前記側壁に設けた取り付け凹部Ｓｂに上方からはめ込まれる縦向きの基盤部１０と、この基盤部１０の上端縁に沿って形成され、かかる取り付け凹部Ｓｂを目隠しする上部板部１１とを備えている。かかる本体１は、例えば、前記基盤部１０の下端に弾性掛合片を備えた取り付け脚部を形成させ、前記取り付け凹部Ｓｂへの基盤部１０のはめ入れに伴って、当該取り付け凹部Ｓｂの底面に開設させておいた取り付け穴に当該取り付け脚部の弾性掛合片をたわみ変形させながら差し入れるようにし、かかる取り付け凹部Ｓｂへの前記本体１の完全はめ入れ位置で当該弾性掛合片を弾性復帰させて、当該取り付け凹部Ｓｂにワンタッチで組み付けることができるように構成しておくことができる。
【００２４】
また、かかる適用例にあっては、前記本体１における前記収納空間Ｓの内方に向けられた側に、前記戻し位置ｘにある前記主ホルダー部２’を納める収納凹部１２が形成してあると共に、この主ホルダー部２’を納める収納凹部１２の隣に前記戻し位置ｘにある副ホルダー部２”を納める収納凹部１２が形成してある。
【００２５】
また、かかる適用例にあっては、前記主ホルダー部２’および副ホルダー部２”はいずれも、（１）左右両端にそれぞれ前記本体１の収納凹部１２における上部両側に形成された軸穴１２ａに回動可能に納められる軸突起２１ａを備えた左右に長い基部２１と、（２）この基部２１における一方端から一体に突き出される固定アーム状部２２と、（３）かかる基部２１の他方端に一端を回動可能に組み付けられて当該基部２１の一方端から突き出される回動アーム状部２３とを備えている。かかる基部２１、固定アーム状部２２および回動アーム状部２３は、いずれも、その表面を略同一の平面に沿って配するように構成されている。また、回動アーム状部２３は、固定アーム状部２２から離れる向きに回動可能とされており、かかる回動アーム状部２３、固定アーム状部２２および基部２１とによって形成される内側の空間が前記容器Ｋを保持する保持空間２０とされる。また、かかる回動アーム状部２３は、前記固定アーム状部２２に近付く向きに前記基部２１の裏側に取り付けられているねじりコイルバネ２３ａにより付勢される構成としてあり、前記保持空間２０に差し入れられる容器Ｋの外径に応じて当該バネ２３ａの付勢に抗して外側に開き出し、外径の異なる複数種類の容器Ｋのそれぞれに対し、前記固定アーム状部２２との間で当該容器Ｋの側部を適切に挟み付け、保持するようにしてある。（図４）また、前記本体１の二か所の収納凹部１２、１２における上部にはそれぞれ、ねじりコイルバネ１２ｃを、その巻回部を横向きに配するように当該本体１に組み付ける当該巻回部の巻装軸１２ｂが設けてある。そして、前記主ホルダー部２’は、図２における左側の収納凹部１２の前記軸穴１２ａに前記基部２１の軸突起２１ａを納め、かつ、この左側の収納凹部１２に設けられた巻装軸１２ｂによって本体１に組み付けられたねじりコイルバネ１２ｃの一端を基部２１裏面に押し当てた状態で、当該本体１に回動可能に組み付けられていると共に、前記副ホルダー部２”は、図２における右側の収納凹部１２の前記軸穴１２ａに前記基部２１の軸突起２１ａを納め、かつ、この右側の収納凹部１２に設けられた巻装軸１２ｂによって本体１に組み付けられたねじりコイルバネ１２ｃの一端を基部２１裏面に押し当てた状態で、当該本体１に回動可能に組み付けられている。それぞれの収納凹部１２においてまた、それぞれのねじりコイルバネ１２ｃはその他端を収納凹部１２側に押し付けており、それぞれのホルダー部２の前記戻し位置ｘにおいて、かかるねじりコイルバネ１２ｃはその巻回部を弾性変形させられる構成としてある。この結果、この実施の形態にあっては、前記本体１の収納凹部１２に納められた前記戻し位置ｘにある前記主ホルダー部２’および副ホルダー部２”は共に、この戻し位置ｘから前記跳ね上げ位置ｙに向けて回動される向きに、かかるねじりコイルバネ１２ｃの付勢力を受けるものとされる。なお、この実施の形態にあっては、それぞれのホルダー部２の上方への回動は、前記基部２１の表面が前記本体１の収納凹部１２の上部内面１２ｄに突き当たる位置で止められるものとされ、この突き当たりが生じた位置がそれぞれのホルダー部２の前記跳ね上げ位置ｙとされる。
【００２６】
また、この実施の形態にあっては、主ホルダー部２’の固定アーム状部２２と副ホルダー部２”の固定アーム状部２２とが、前記本体１の中央位置で隣り合うように、当該本体１に両ホルダー部２が組み付けてある。そして、この適用例にあっては、かかる本体１の中央位置に、当該本体１の収納凹部１２の前面側に下端側を臨ませた状態で、上下に長い主ロック部材３’が上下動可能に組み付けられており、また、この主ロック部材３’の隣に上下に長い副ロック部材３”が上下動可能に組み付けられている。
【００２７】
かかる主ロック部材３’は、前記戻し位置ｘにある主ホルダー部２’の固定アーム状部２２の裏面にその下端側を位置させている。また、かかる副ロック部材３”は、前記戻し位置ｘにある副ホルダー部２”の固定アーム状部２２の裏面にその下端側を位置させている。また、両ロック部材３、３共に、前記本体１の上部板部１１に形成され、収納凹部１２側に連通される透孔１１ａより上端部を突き出した構成としてあり、この透孔１１ａから突き出された上端部を押し込み操作部３０としている。
【００２８】
また、両ロック部材３、３共に、押し込み操作部３０の下縁部に前記透孔１１ａの孔縁に下側から突き当たる抜け止め部３１を備えていると共に、この抜け止め部３１を常時当該透孔１１ａの孔縁に下側から突き当てる向きに付勢された構成としてある。すなわち、この適用例にあっては、それぞれのロック部材３、３共に、その上部側に、前記押し込み操作部３０の下側に上端を有するように上下方向に長く形成され、かつ、当該それぞれのロック部材３、３の表側において開放された長穴３２を備えていると共に、前記本体１の上部板部１１と収納凹部１２との間の基盤部１０に、当該基盤部１０の内面に略直交する向きに突き出し、かつ、前記それぞれのロック部材３、３の長穴３２にそれぞれ入り込むバネ押さえ片１２ｅが形成してある。そして、このバネ押さえ片１２ｅとそれぞれのロック部材３、３の押し込み操作部３０側の長穴３２の上端面との間に圧縮コイルバネ１２ｆが介装してあり、この圧縮コイルバネ１２ｆの弾発によってそれぞれのロック部材３、３は未操作状態において前記抜け止め部３１を前記透孔１１ａの孔縁に下側から突き当てた状態で、当該透孔１１ａから前記押し込み操作部３０の上部側を突き出させている。（図５）
【００２９】
また、この適用例にあっては、それぞれのロック部材３、３共に、その下部側に、それぞれのロック部材３、３の表側において少なくとも開放され、かつ、上下方向に長い導入穴３３を備えていると共に、この導入穴３３の下端部に当該それぞれのロック部材３、３の裏側に向けられた縦向きの掛合面３４ａを備え、頂部３４ｂを挟んで、それぞれのロック部材３、３の表側に向けて次第に低まる傾斜面３４ｃを備えたロック爪３４を有している。一方、前記主ホルダー部２’における固定アーム状部２２には、前記跳ね上げ位置ｙから前記戻し位置ｘへの回動に伴って、前記主ロック部材３’のロック爪３４の傾斜面３４ｃに突き当てられる先端と、この先端から下方に次第に突き出す向きに傾斜する傾斜面２４ａと、頂部を挟んで当該主ホルダー部２’の裏面に向けられた掛合面２４ｂとを備えた掛合爪２４が設けられている。そして、この適用例にあっては、前記跳ね上げ位置ｙにある主ホルダー部２’を前記戻し位置ｘに回動操作させることに伴って、前記掛合爪２４の先端を前記主ロック部材３’のロック爪３４の傾斜面３４ｃに突き当て、このロック爪３４の傾斜面３４ｃの傾斜に沿って当該主ロック部材３’を前記圧縮コイルバネ１２ｆの付勢に抗して下方に移動させ、この後、当該掛合爪２４の先端が当該ロック爪３４の頂部３４ｂを乗り越えた回動位置で当該バネ１２ｆの付勢により当該主ロック部材３’を上方に移動させ、この主ロック部材３’の上方への移動により当該掛合爪２４の掛合面２４ｂに前記ロック爪３４の掛合面３４ａを下方から掛合させて、この主ホルダー部２’を前記ねじりコイルバネ１２ｃの付勢に抗して前記跳ね上げ位置ｙに向けて回動させないように前記戻し位置ｘでロック・保持する構成としてある。したがってまた、この適用例にあっては、このように主ホルダー部２’を前記戻し位置ｘにおいて前記主ロック部材３’によってロック・保持した状態から、かかる主ロック部材３’の押し込み操作部３０を押圧操作して当該主ロック部材３’を下方に移動させることにより、前記掛合爪２４とロック爪３４との掛合を解くことができ、この掛合の解除により前記ねじりコイルバネ１２ｃの付勢により前記主ホルダー部２’を前記跳ね上げ位置ｙまで自動的に回動させることができる。
【００３０】
また、この適用例にあっては、前記副ホルダー部２”における固定アーム状部２２にも、前記跳ね上げ位置ｙから前記戻し位置ｘへの回動に伴って、前記副ロック部材３”のロック爪３４の傾斜面３４ｃに突き当てられる先端と、この先端から下方に次第に突き出す向きに傾斜する傾斜面２４ａと、頂部を挟んで当該主ホルダー部２’の裏面に向けられた掛合面２４ｂとを備えた掛合爪２４が設けられている。そして、前記跳ね上げ位置ｙにある副ホルダー部２”を前記戻し位置ｘに回動操作させることに伴って、前記掛合爪２４の先端を前記副ロック部材３”のロック爪３４の傾斜面３４ａに突き当て、このロック爪３４の傾斜面３４ａの傾斜に沿って当該副ロック部材３”を前記圧縮コイルバネ１２ｆの付勢に抗して下方に移動させ、この後、当該掛合爪２４の先端が当該ロック爪３４の頂部３４ｂを乗り越えた回動位置で当該バネ１２ｆの付勢により当該副ロック部材３”を上方に移動させ、この副ロック部材３”の上方への移動により当該掛合爪２４の掛合面２４ｂに前記ロック爪３４の掛合面３４ａを下方から掛合させて、この副ホルダー部２”を前記ねじりコイルバネ１２ｃの付勢に抗して前記跳ね上げ位置ｙに向けて回動させないように前記戻し位置ｘでロック・保持する構成としてある。したがってまた、この適用例にあっては、このように副ホルダー部２”を前記戻し位置ｘにおいて前記副ロック部材３”によってロック・保持した状態から、かかる副ロック部材３”の押し込み操作部３０を押圧操作して当該副ロック部材３”を下方に移動させることにより、前記掛合爪２４とロック爪３４との掛合を解くことができ、この掛合の解除により前記ねじりコイルバネ１２ｃの付勢により前記副ホルダー部２”を前記跳ね上げ位置ｙまで自動的に回動させることができる。
【００３１】
また、この適用例にあっては、前記副ロック部材３”の上側部であって、前記本体１の基盤部１０の裏側で隣り合う前記主ロック部材３’に向き合う側端部に、この主ロック部材３’の側に突き出す連動当接部２５が設けてある。この連動当接部２５は、この適用例にあっては、かかる副ロック部材３”の下端側に向いた当接面２５ａを有している。一方、前記主ロック部材３’の上側部であって、隣り合う副ロック部材３”に向き合う側端部には、この副ロック部材３”の側に突き出す受側突部２６が形成してあり、この受側突部２６は当該副ロック部材３”の上端側に向いた受面２６ａを有している。そして、それぞれのロック部材３、３の押し込み操作部３０を前記圧縮コイルバネ１２ｆの付勢に抗して下方に押し込まない未操作状態において、かかる副ロック部材３”の連動当接部２５の当接面２５ａが主ロック部材３’の受側突部２６の受面２６ａに上方から接した構成としてある。
【００３２】
この結果、この適用例にあっては、前記主ホルダー部２’および副ホルダー部２”の双方共が前記戻し位置ｘにロック・保持された状態において、前記主ロック部材３’の押し込み操作部３０を下方に押圧操作して当該主ロック部材３’を下方に押し込み移動させた場合には、当該主ロック部材３’のロック爪３４と当該主ホルダー部２’の掛合爪２４との掛合のみを解除して、当該主ホルダー部２’のみを前記跳ね上げ位置ｙまで回動させることができる。
【００３３】
一方、前記主ホルダー部２’および副ホルダー部２”の双方共が前記戻し位置ｘにロック・保持された状態において、前記副ロック部材３”の押し込み操作部３０を下方に押圧操作して当該副ロック部材３”を下方に押し込み移動させた場合には、当該副ロック部材３”の前記連動当接部２５が当該主ロック部材３’の受側突部２６に上方から押し当てられ、かかる主ロック部材３’を同時に下方に移動させることから、当該副ロック部材３”のロック爪３４と当該副ホルダー部２”の掛合爪２４との掛合を解除すると共に、かかる主ロック部材３’のロック爪３４と当該主ホルダー部２’の掛合爪２４との掛合も合わせて解除して、当該副ホルダー部２”および主ホルダー部２’の双方を同時に前記跳ね上げ位置ｙまで回動させることができる。
【００３４】
また、この適用例にあっては、前記副ホルダー部２”に、当該副ホルダー部２”の跳ね上げ位置ｙへの回動に伴って前記主ホルダー部２’の一部に下方から押し当てられる接触部２７が形成してある。
【００３５】
具体的には、この適用例にあっては、前記主ホルダー部２’を構成する固定アーム状部２２の先端側に、副ホルダー部２”の固定アーム状部２２の表面側で当該副ホルダー部２”の固定アーム状部２２に重なり合う張り出し部２８が形成してあり、この張り出し部２８の裏面に位置される副ホルダー部２”の固定アーム状部２２の先端部が前記接触部２７としてある。特にまた、この適用例にあっては、主ホルダー部２’の張り出し部２８の肉厚寸法分、この張り出し部２８に重なり合わされる副ホルダー部２”の固定アーム状部２２の先端側の一部が窪まされており、この窪まされた部分の底面が前記接触部２７としてある。これにより、前記両ホルダー部２を前記跳ね上げ位置ｙに回動させた状態において、かかる張り出し部２８がありながら、両ホルダー部２、２の表面を略同面に位置させることができるものとされている。
【００３６】
この結果、この適用例にあっては、前記副ロック部材３”の押し込み操作部３０を下方に押し込み操作した場合、かかる副ホルダー部２”の接触部２７を前記主ホルダー部２’の張り出し部２８の裏面に押し当てて、かかる両ホルダー部２を前記跳ね上げ位置ｙに向けて同時にスムースに回動させることができる。また、かかる両ホルダー部２、２が共に前記跳ね上げ位置ｙにある状態から、この接触部２７の直上に位置される主ホルダー部２’の先端部、すなわち、前記張り出し部２８の表面を押圧することにより、かかる跳ね上げ位置ｙにある両ホルダー部２、２を一緒に前記戻し位置ｘに向けて押し戻し、両ホルダー部２を同時に当該戻し位置ｘでロック・保持することができる。かかる接触部２７は、この適用例の形成位置以外の位置、例えば、前記副ホルダー部２”の固定アーム状部２２の基部側に設けてあっても良いが、このように両ホルダー部２を一緒に前記戻し位置ｘに押し戻す操作を容易ならしめる観点からは、前記接触部２７は副ホルダー部２”の固定アーム状部２２の先端側に設けておくことが最適である。
【００３７】
また、前記両ホルダー部２の双方が前記戻し位置ｘにある状態から、前記主ロック部材３’の押し込み操作部３０を下方に押し込み操作した場合には、前記接触部２７は前記張り出し部２８の裏側に位置されることから、前記主ホルダー部２’のみが前記跳ね上げ位置ｙに向けて回動されることとなる。
【００３８】
図６ないし図８は、前記図１ないし図５に示される適用例の構成の一部を変更した別の適用例を示している。
【００３９】
この適用例にあっては、前記主ホルダー部２’に、（１）この主ホルダー部２’を構成する固定アーム状部２２の前記張り出し部２８の裏側であって、当該張り出し部２８の基部２１位置にある当該固定アーム状部２２の副ホルダー部２”側に向けられた側端において開放された収納穴１００が設けてあると共に、（２）この収納穴１００内に進退可能に左右方向に長い組合突片１０１が納められており、（３）さらに、この組合突片１０１と収納穴１００の内奥部との間に当該組合突片１０１の先端側を当該収納穴１００から常時一定位置まで突き出す向きに付勢させる圧縮コイルバネ１０２が介装状態に設けてある。
【００４０】
また、前記主ロック部材３’の下端には、前記組合突片１０１の突き出し側から引き込み側に向けて次第に上方に立ち上がる向きに傾斜するカム面１０３が形成してあると共に、前記組合突片１０１の上部には、かかる主ロック部材３’のカム面１０３と反対向きに傾斜し、かつ、前記主ホルダー部２’の戻し位置ｘにおいて当該主ロック部材３’のカム面１０３に接触するカム面１０１ａが形成してある。
【００４１】
また、この適用例にあっては、前記副ホルダー部２”に、この副ホルダー部２”における前記固定アーム状部２２の前記接触部２７が設けられた位置にある側端と、当該副ホルダー部２”における裏面側において外方に開放された組合凹部１０４が形成してある。
【００４２】
そして、前記跳ね上げ位置ｙにある主ホルダー部２’の前記戻し位置ｘへの回動に伴って、または、当該跳ね上げ位置ｙに主ホルダー部２’がある状態における副ホルダー部２”の跳ね上げ位置ｙへの回動に伴って、当該主ホルダー部２’の組合突片１０１が、当該副ホルダー部２”の当該組合凹部１０４の入り口に続く当該副ホルダー部２”の一部１０４ａに突き当てられて前記圧縮コイルバネ１０２の付勢に抗して一旦後退移動した後、この組合突片１０１の先端が当該組合凹部１０４の入り口に臨ませた回動位置で当該バネ１０２の付勢によりその先端側を当該組合凹部１０４に入り込ませる構成としてある。なお、この実施の形態にあっては、かかる主ホルダー部２’の戻し位置ｘへの回動などに伴う前記副ホルダー部２”の一部１０４ａ、この適用例にあっては主ホルダー部２’側に向けられた副ホルダー部２”の接触部２７の縁部への組合突片１０１の突き当たりに伴う当該組合突片１０１の前記後退移動をスムースならしめるように、この組合突片１０１の先端部であって主ホルダー部２’の裏側に向けられた側に、この先端部に向かうに連れて当該組合突片１０１を細める向きの傾斜面１０１ｂが形成してある。
【００４３】
この図６ないし図８に示される適用例にあっては、かかる組合突片１０１と組合凹部１０４を有することから、前記主ロック部材３’の押し込み操作部３０を押圧して当該主ロック部材３’を下方に移動させた場合には、当該主ロック部材３’のロック爪３４と主ホルダー部２’の掛合爪２４との掛合が解かれると共に、当該主ロック部材３’のカム面１０３と前記組合突片１０１のカム面１０１ａとの摺接により当該組合突片１０１を前記圧縮コイルバネ１０２の付勢に抗して前記収納穴１００の内奥側に後退移動させ、この組合突片１０１の先端部を副ホルダー部２”の組合凹部１０４内から抜き出し、主ホルダー部２’のみを前記跳ね上げ位置ｙまで回動させることができる。このように主ホルダー部２’が跳ね上げ位置ｙまで回動された状態においては、前記組合突片１０１は前記圧縮コイルバネ１０２の弾発により前記一定位置まで先端側を突き出させる。そして、このように、主ホルダー部２’を跳ね上げ位置ｙに回動させた状態から、前記副ホルダー部２”を前記副ロック部材３”の押し込み操作によって前記跳ね上げ位置ｙまで回動させると、上方に回動されてきた副ホルダー部２”の一部１０４ａに前記組合突片１０１の先端側が突き当てられ、当該組合突片１０１は前記同様一旦後退移動され、その先端側を前記組合凹部１０４の入り口に臨ませた回動位置で当該組合凹部１０４にその先端側を入り込ませる。そして、前記張り出し部２８と当該組合突片１０１の先端部との間で副ホルダー部２”の接触部２７を挟み込んだ組合状態を作り出すに至る。
【００４４】
また、前記両ホルダー部２を共に前記戻し位置ｘにロック・保持させた状態から、前記副ロック部材３”を下方に押し込み移動操作した場合にあっては、副ロック部材３”の移動に連動して主ロック部材３’も下方への移動するため、かかる両ホルダー部２共に戻し位置ｘでのロックが解かれ、かつ、主ロック部材３’のカム面１０３と組合突片１０１のカム面１０１ａの摺接により組合突片１０１は後退移動し組合凹部１０４から一旦抜き出されるが、前記接触部２７の作用により両ホルダー部２、２は一緒に跳ね上げ位置ｙに向けて回動されるため、この回動の過程で前記圧縮コイルバネ１０２の作用により組合突片１０１は再び先端側を前記組合凹部１０４に入り込ませるに至り、この場合にも前記跳ね上げ位置ｙに一緒に回動された両ホルダー部２、２の間に前記同様の組合状態が作り出される。
【００４５】
この結果、この適用例にあっては、前記両ホルダー部２、２が共に前記跳ね上げ位置ｙにある状態から、この両ホルダー部２、２を前記戻し位置ｘに戻し操作する場合、両ホルダー部２、２は前記組合状態に置かれていることから、両ホルダー部２のいずれの箇所を下方に押圧しても当該戻し位置ｘへの回動操作を両ホルダー部２、２を一体とした状態でなすことができる利点を有する。
【００４６】
なお、この図６ないし図８に示される他の適用例のその余の構成は、図１ないし図５に示される適用例と実質的に同一であることから、その余の実質的に同一の構成部分については図１ないし図５において用いた符号と同一の符号を図６ないし図８に付して、その説明を省略する。
【００４７】
【発明の効果】
この発明にかかるカップホルダー装置によれば、独立した二つのホルダー部、すなわち、主ホルダー部と副ホルダー部とをそれぞれ縦向きの戻し位置から容器を保持する横向きの跳ね上げ位置まで回動可能に備えながら、主ロック部材の押し込み操作のみで主ホルダー部のみを跳ね上げ位置に回動させることができ、また、副ロック部材の押し込み操作のみで双方のホルダー部共に当該跳ね上げ位置まで回動させることができる。
【図面の簡単な説明】
【図１】カップホルダー装置Ｈの設置状態を示す斜視図
【図２】カップホルダー装置Ｈの分解斜視図
【図３】カップホルダー装置Ｈの側面構成図
【図４】カップホルダー装置Ｈの平面構成図
【図５】カップホルダー装置Ｈの要部の縦断面構成図
【図６】図１ないし図５に示されるカップホルダー装置Ｈと構成の一部を異ならせるカップホルダー装置Ｈの側面構成図
【図７】図６に示されるカップホルダー装置Ｈの要部の縦断面構成図
【図８】図６に示されるカップホルダー装置Ｈの要部の横断面構成図
【符号の説明】
ｘ  戻し位置
ｙ  跳ね上げ位置
１  本体
２’  主ホルダー部
２”  副ホルダー部
２４  掛合爪
２５  連動当接部
３’  主ロック部材
３”  副ロック部材
３４  ロック爪
【図１】
0003986706.tif 000002
【図２】
0003986706.tif 000003
【図３】
0003986706.tif 000004
【図４】
0003986706.tif 000005
【図５】
0003986706.tif 000006
【図６】
0003986706.tif 000007
【図７】
0003986706.tif 000008
【図８】
0003986706.tif 000009